(57)【特許請求の範囲】
【請求項１】
ユーザの首の周りに装着されるように構成されかつ配置されるネックループであって、前記ネックループが、中央部分と、前記中央部分から垂れ下がる第１のレッグ部分および第２のレッグ部分と、を含み、全体として「Ｕ字」形状であり、前記ネックループが、前記第２のレッグ部分内に配置された第１の音放出開口部を有する第１の音響導波路と、前記第１のレッグ部分内に配置された第２の音放出開口部を有する第２の音響導波路と、を含むハウジングを備える、ネックループと、
前記第１のレッグ部分内に配置され、かつ前記第１の音響導波路に音響的に結合された第１の背面開放型音響ドライバであって、ユーザの一方の耳の予想される位置のところに全体として向けられる第１の音軸を有する、第１の背面開放型音響ドライバと、
前記第２のレッグ部分内に配置され、かつ前記第２の音響導波路に音響的に結合された第２の背面開放型音響ドライバであって、前記ユーザの他方の耳の予想される位置のところに全体として向けられる第２の音軸を有する、第２の背面開放型音響ドライバと、
を備え、
前記第１の音響導波路及び前記第２の音響導波路が、それぞれ前記中央部分を通って延在している、音響装置。
【請求項２】
前記第１の背面開放型音響ドライバおよび前記第２の背面開放型音響ドライバは、前記第１の背面開放型音響ドライバおよび前記第２の背面開放型音響ドライバが、位相が異なる音を発するように駆動される、請求項１に記載の音響装置。
【請求項３】
前記第１の音放出開口部が、前記第２の背面開放型音響ドライバに近接して位置し、前記第２の音放出開口部が、前記第１の背面開放型音響ドライバに近接して位置する、請求項１に記載の音響装置。
【請求項４】
各導波路が、前記導波路の対応する音響ドライバが頭の一方の側のところでかつ隣接する耳に近接して当該耳の下方に位置する一方の端部と、前記頭の他方の側のところでかつ他方の隣接する耳に近接して当該耳の下方に位置する前記導波路の音放出開口部に通じるもう一方の端部と、を有する、請求項３に記載の音響装置。
【請求項５】
前記ハウジングが外壁を有し、前記第１の音放出開口部が前記ハウジングの前記外壁内に画定され、および前記第２の音放出開口部が前記ハウジングの前記外壁内に画定される、請求項１に記載の音響装置。
【請求項６】
前記第１の音響導波路および前記第２の音響導波路が、前記ハウジングの前記外壁および前記ハウジングの内部壁により両者とも画定される、請求項５に記載の音響装置。
【請求項７】
前記ハウジングの前記内部壁が、長手軸の長さに沿って１８０°捩れる前記長手軸に沿って置かれる、請求項６に記載の音響装置。
【請求項８】
前記第１のレッグ部分および前記第２のレッグ部分が、前記ネックループの開放端を画定するように間隔を空けて離れる先端部を有し、前記ハウジングの前記内部壁内の捩れ部が、前記ネックループの前記中央部分内に位置する、請求項７に記載の音響装置。
【請求項９】
前記ハウジングの前記内部壁が、全体として平坦であり、両方の音放出開口部の下に置かれる、請求項８に記載の音響装置。
【請求項１０】
前記ハウジングの前記内部壁が、前記第１の音放出開口部および前記第２の音放出開口部の各々の下に、隆起した音方向転換部を備える、請求項９に記載の音響装置。
【請求項１１】
前記ハウジングが、ユーザにより装着されたときに耳に最も近い上部部分と、前記ユーザにより装着されたときに胴体に最も近い底部部分と、を有し、各導波路は、前記ハウジングの前記上部部分内に一部がおよび前記ハウジングの前記底部部分内に一部が置かれる、請求項７に記載の音響装置。
【請求項１２】
前記第１のレッグ部分および前記第２のレッグ部分が、前記ネックループの開放端を画定するように間隔を空けて離れる先端部を有し、前記ハウジングの前記内部壁内の捩れ部が、前記ネックループの前記中央部分内に位置し、
前記第１の音響導波路は、前記第１の背面開放型音響ドライバの下で始まり、前記第１の音響導波路が前記ハウジングの前記底部部分へと曲がる前記ネックループの前記第１のレッグ部分の前記先端部まで前記ハウジングの前記上部部分に沿って延伸し、前記第１の音響導波路が前記ハウジングの前記上部部分へと曲がりかつ前記第１の音放出開口部まで前記第２のレッグ部分へと延伸する前記ネックループの前記中央部分へと前記第１のレッグ部分に沿って延伸し、
前記第２の音響導波路は、前記第２の背面開放型音響ドライバの下で始まり、前記第２の音響導波路が前記ハウジングの前記底部部分へと曲がる前記ネックループの前記第２のレッグ部分の前記先端部まで前記ハウジングの前記上部部分に沿って延伸し、前記第２の音響導波路が前記ハウジングの前記上部部分へと曲がりかつ前記第２の音放出開口部まで前記第１のレッグ部分へと延伸する前記ネックループの前記中央部分へと前記第２のレッグ部分に沿って延伸する、
請求項１１に記載の音響装置。
【請求項１３】
前記ハウジングが、ユーザにより装着されたときに耳に面する上部を有し、前記第１の音放出開口部が、前記ハウジングの前記上部内に画定され、前記第２の音放出開口部が、前記ハウジングの前記上部内に画定される、請求項５に記載の音響装置。
【請求項１４】
ユーザの首の周りに装着されるように構成されかつ配置されるネックループであって、前記ネックループが、中央部分と、前記中央部分から垂れ下がる第１のレッグ部分および第２のレッグ部分と、を含み、全体として「Ｕ字」形状であり、前記ネックループが、前記第２のレッグ部分内に配置された第１の音放出開口部を有する第１の音響導波路と、前記第１のレッグ部分内に配置された第２の音放出開口部を有する第２の音響導波路と、を含むハウジングを備える、ネックループと、
前記第１のレッグ部分内に配置され、かつ前記第１の音響導波路に音響的に結合された第１の背面開放型音響ドライバであって、前記第１の背面開放型音響ドライバが、前記ハウジングによって保持され、かつユーザの一方の耳の予想される位置のところに全体として向けられる第１の音軸を有する、第１の背面開放型音響ドライバと、
前記第２のレッグ部分内に配置され、かつ前記第２の音響導波路に音響的に結合された第２の背面開放型音響ドライバであって、前記第２の背面開放型音響ドライバが前記ハウジングによって保持され、かつ前記ユーザの他方の耳の予想される位置のところに全体として向けられる第２の音軸を有する、第２の背面開放型音響ドライバと、
を備え、
前記第１の音放出開口部が、前記第２の背面開放型音響ドライバに近接して位置し、前記第２の音放出開口部が、前記第１の背面開放型音響ドライバに近接して位置し、
前記第１の背面開放型音響ドライバおよび前記第２の背面開放型音響ドライバは、前記第１の背面開放型音響ドライバおよび前記第２の背面開放型音響ドライバが、位相が異なる音を発するように駆動され、
前記第１の音響導波路及び前記第２の音響導波路が、それぞれ前記中央部分を通って延在している音響装置。
【請求項１５】
前記第１の音響導波路および前記第２の音響導波路が、前記ハウジングの外壁および前記ハウジングの内部壁により両者とも画定され、前記ハウジングの前記内部壁が、長手軸の長さに沿って１８０°捩れる前記長手軸に沿って置かれる、請求項１４に記載の音響装置。
【請求項１６】
前記第１のレッグ部分および前記第２のレッグ部分が、前記ネックループの開放端を画定するように間隔を空けて離れる先端部を有し、前記ハウジングの前記内部壁内の捩れ部が、前記ネックループの前記中央部分内に位置する、請求項１５に記載の音響装置。
【請求項１７】
前記ハウジングが、前記ユーザにより装着されたときに前記耳に最も近い上部部分と、前記ユーザにより装着されたときに胴体に最も近い底部部分と、を有し、各導波路は、前記ハウジングの前記上部部分内に一部がおよび前記ハウジングの前記底部部分内に一部が置かれる、請求項１６に記載の音響装置。
【請求項１８】
ユーザの首の周りに装着されるように構成されかつ配置されるネックループであって、前記ネックループが、第１の音放出開口部を有する第１の音響導波路および第２の音放出開口部を有する第２の音響導波路を含むハウジングを備え、前記第１の音響導波路および前記第２の音響導波路が、前記ハウジングの外壁および前記ハウジングの内部壁により両者とも画定され、前記ハウジングの前記内部壁が、長手軸の長さに沿って１８０°捩れる前記長手軸に沿って置かれ、前記ネックループが、中央部分と、前記中央部分から垂れ下がりかつ前記ネックループの開放端を画定するように間隔を空けて離れる先端部を有する第１のレッグ部分および第２のレッグ部分と、を含み、全体として「Ｕ字」形状であり、前記第１の音放出開口部が前記第２のレッグ部分内に配置され、前記第２の音放出開口部が前記第１のレッグ部分内に配置され、前記ハウジングの前記内部壁内の捩れ部が、前記ネックループの前記中央部分内に位置し、前記ハウジングが、ユーザにより装着されたときに耳に最も近い上部部分と、前記ユーザにより装着されたときに胴体に最も近い底部部分と、を有し、各導波路は、前記ハウジングの前記上部部分内に一部がおよび前記ハウジングの前記底部部分内に一部が置かれる、ネックループと、
前記第１の音響導波路に音響的に結合された第１の背面開放型音響ドライバであって、前記第１の背面開放型音響ドライバが、前記ネックループの前記第１のレッグ部分内に位置し、かつ前記ユーザの一方の耳の予想される位置のところに全体として向けられる第１の音軸を有する、第１の背面開放型音響ドライバと、
前記第２の音響導波路に音響的に結合された第２の背面開放型音響ドライバであって、前記第２の背面開放型音響ドライバが、前記ネックループの前記第２のレッグ部分内に位置しかつ前記ユーザの他方の耳の予想される位置のところに全体として向けられる第２の音軸を有する、第２の背面開放型音響ドライバと、
を備え、
前記第１の背面開放型音響ドライバおよび前記第２の背面開放型音響ドライバは、前記第１の背面開放型音響ドライバおよび前記第２の背面開放型音響ドライバが、位相が異なる音を発するように駆動され、
前記第１の音放出開口部が、前記第２の背面開放型音響ドライバに近接して位置し、前記第２の音放出開口部が、前記第１の背面開放型音響ドライバに近接して位置し、
前記第１の音響導波路は、前記第１の背面開放型音響ドライバの下で始まり、前記第１の音響導波路が前記ハウジングの前記底部部分へと曲がる前記ネックループの前記第１のレッグ部分の前記先端部まで前記ハウジングの前記上部部分に沿って延伸し、前記第１の音響導波路が前記ハウジングの前記上部部分へと曲がりかつ前記第１の音放出開口部まで前記第２のレッグ部分へと延伸する前記ネックループの前記中央部分へと前記第１のレッグ部分に沿って延伸し、
前記第２の音響導波路は、前記第２の背面開放型音響ドライバの下で始まり、前記第２の音響導波路が前記ハウジングの前記底部部分へと曲がる前記ネックループの前記第２のレッグ部分の前記先端部まで前記ハウジングの前記上部部分に沿って延伸し、前記第２の音響導波路が前記ハウジングの前記上部部分へと曲がりかつ前記第２の音放出開口部まで前記第１のレッグ部分へと延伸する前記ネックループの前記中央部分へと前記第２のレッグ部分に沿って延伸し、
前記第１の音響導波路及び前記第２の音響導波路が、それぞれ前記中央部分を通って延在している
音響装置。
【発明の詳細な説明】
【技術分野】
【０００１】
この開示は、音響装置に関する。
【発明の概要】
【発明が解決しようとする課題】
【０００２】
ヘッドセットは、耳の上に、耳を覆ってまたは耳の中に設置される音響ドライバを有する。ヘッドセットは、このように装着するのにいくらか目障りであり、また周囲の音を聞くユーザの能力を妨げる可能性がある。
【課題を解決するための手段】
【０００３】
下記に述べるすべての例および特徴を、いずれかの技術的に可能な方式で組み合わせることができる。
【０００４】
本音響装置は、耳の上の、耳を覆うまたは耳の中の音響ドライバを用いずに各耳へ高品質な音を指向する。音響装置は、首の周りに装着されるように設計される。音響装置は、ハウジングを有するネックループを含むことができる。ネックループは、鎖骨の上方にまたは近くに置かれる２つのレッグと、首の後ろに置かれる湾曲した中央部分と、を有する「馬蹄形」状または一般的に「Ｕ字」形状を有することができる。音響装置は、ハウジングの各レッグに１つずつの２つの音響ドライバを有することができる。ドライバは、ドライバの音響軸が耳のところに向いた状態で、ユーザの耳の予想される位置の下方に位置することができる。音響装置は、ハウジング内に２つの導波路をさらに含むことができ、各々の導波路が耳の下方でドライバの近くに出口を有する。一方のドライバの後ろ側を、一方の導波路の入口に音響的に結合することができ、他方のドライバの後ろ側を、他方の導波路の入口に音響的に結合することができる。各導波路は、それぞれ、音を供給するドライバが一方の耳（左または右）の下方に位置する一方の端部と、他方の耳（右または左）の下方に位置する他方の端部（開放端）と、を有することができる。
【０００５】
導波路は、ハウジング内で相互に折り重なることができる。各導波路の入口および出口がハウジングの上部側のところに位置するように、導波路を構成し配置することができる。各導波路が導波路の長さに沿って全体として終始同じ断面積を有するように、導波路を構成し配置することができる。各導波路が、一方のドライバの直後で始まり、レッグの端部までネックループの隣接するレッグ内のハウジングの上部部分に沿って下に延び、ハウジングの底部部分へと下に曲がり、レッグを上に戻って延びるように１８０度曲がり、次いで中央部分を横切り、他方のドライバの直後に位置する出口まで他方のレッグの上部部分を下って戻るように、導波路を構成し配置することができる。各導波路は、ネックループの中央部分内でハウジングの底部から上部部分へと位置をひっくり返すことができる。
【０００６】
一態様では、音響装置は、首の周りに装着されるように構成されかつ配置されるネックループを含む。ネックループは、第１の音放出開口部を有する第１の音響導波路および第２の音放出開口部を有する第２の音響導波路を備えるハウジングを含む。第１の導波路に音響的に結合された第１の背面開放型音響ドライバおよび第２の導波路に音響的に結合された第２の背面開放型音響ドライバがある。
【０００７】
実施形態は、下記の特徴のうちの１つ、またはこれらの特徴の任意の組合せを含むことができる。第１の音響ドライバおよび第２の音響ドライバを、第１の音響ドライバおよび第２の音響ドライバがスペクトルの少なくとも一部にわたり位相が異なる音を発するように駆動することができる。第１の背面開放型音響ドライバを、ハウジングにより保持することができ、この音響ドライバはユーザの一方の耳の予想される位置のところに全体として向けられる第１の音軸を有することができ、第２の背面開放型音響ドライバを、やはりハウジングにより保持することができ、この音響ドライバはユーザの他方の耳の予想される位置のところに全体として向けられる第２の音軸を有することができる。第１の音放出開口部は、第２の音響ドライバに近接して位置することができ、第２の音放出開口部は、第１の音響ドライバに近接して位置することができる。各導波路は、対応する音響ドライバが頭の一方の側のところでかつ隣接する耳に近接して当該耳の下方に位置する一方の端部と、頭の他方の側のところでかつ他方の隣接する耳に近接して当該耳の下方に位置する導波路の音放出開口部に通じるもう一方の端部と、を有することができる。
【０００８】
実施形態は、上記または下記の特徴のうちの１つ、またはこれらの特徴の任意の組合せを含むことができる。ハウジングは外壁を有することができ、第１の音放出開口部および第２の音放出開口部を、ハウジングの外壁内に画定することができる。第１の導波路および第２の導波路を、ハウジングの外壁およびハウジングの内部壁により両者とも画定することができる。ハウジングの内部壁は、長手軸の長さに沿って１８０°捩れる長手軸に沿って置かれることがある。ネックループを、中央部分と、中央部分から垂れ下がり、かつネックループの開放端を画定するように間隔を空けて離れる先端部を有する第１のレッグ部分および第２のレッグ部分と、を有し、全体として「Ｕ字」形状にすることができ、ハウジング内部壁内の捩れ部が、ネックループの中央部分内に位置する。ハウジングの内部壁は、全体として平坦であり、両方の音放出開口部の下に置かれる。ハウジングの内部壁は、第１の音放出開口部および第２の音放出開口部の各々の下に、隆起した音方向変換部を備えることができる。ハウジングは、ユーザにより装着されたときに耳に面する上部を有することができ、第１の音放出開口部および第２の音放出開口部は、ハウジングの上部内に画定される。
【０００９】
実施形態は、上記または下記の特徴のうちの１つ、またはこれらの特徴の任意の組合せを含むことができる。ハウジングは、ユーザにより装着されたときに耳に最も近い上部部分と、ユーザにより装着されたときに胴体に最も近い底部部分と、を有することができ、各導波路は、ハウジングの上部部分内に一部がおよびハウジングの底部部分内に一部が置かれることがある。ネックループを、中央部分と、中央部分から垂れ下がり、かつネックループの開放端を画定するように間隔を空けて離れる先端部を有する第１のレッグ部分および第２のレッグ部分と、を含み、全体として「Ｕ字」形状にすることができる。ハウジング内部壁内の捩れ部は、ネックループの中央部分内に位置することができる。第１の音響ドライバは、ネックループの第１のレッグ部分内に位置することができ、第２の音響ドライバは、ネックループの第２のレッグ部分内に位置することができる。第１の導波路は、第１の音響ドライバの下で始まることができ、ネックループの第１のレッグ部分の先端部までハウジングの上部部分に沿って延伸することができ、ハウジングの底部部分へと曲がり、第１の導波路がハウジングの上部部分へと曲がりかつ第１の音放出開口部まで第２のレッグ部分へと延伸するネックループの中央部分へと第１のレッグ部分に沿って延伸することができる。第２の導波路は、第２の音響ドライバの下で始まることができ、第２の導波路がハウジングの底部部分へと曲がるネックループの第２のレッグ部分の先端部までハウジングの上部部分に沿って延伸することができ、第２の導波路がハウジングの上部部分へと曲がりかつ第２の音放出開口部まで第１のレッグ部分へと延伸するネックループの中央部分へと第２のレッグ部分に沿って延伸することができる。
【００１０】
別の一態様では、音響装置は、首の周りに装着されるように構成されかつ配置されるネックループであって、ネックループが第１の音放出開口部を有する第１の音響導波路および第２の音放出開口部を有する第２の音響導波路を含むハウジングを備える、ネックループと、第１の導波路に音響的に結合された第１の背面開放型音響ドライバであって、第１の背面開放型音響ドライバがハウジングによって保持され、かつユーザの一方の耳の予想される位置のところに全体として向けられる第１の音軸を有する、第１の背面開放型音響ドライバと、第２の導波路に音響的に結合された第２の背面開放型音響ドライバであって、第２の背面開放型音響ドライバがハウジングによって保持され、かつユーザの他方の耳の予想される位置のところに全体として向けられる第２の音軸を有する、第２の背面開放型音響ドライバと、を含み、第１の音放出開口部は、第２の音響ドライバに近接して位置し、第２の音放出開口部は、第１の音響ドライバに近接して位置し、第１の音響ドライバおよび第２の音響ドライバは、第１の音響ドライバおよび第２の音響ドライバが、位相が異なる音を発するように駆動される。
【００１１】
実施形態は、下記の特徴のうちの１つまたはこれらの特徴の任意の組合せを含むことができる。導波路を、ハウジングの外壁およびハウジングの内部壁により両者とも画定することができ、ハウジングの内部壁は、長手軸の長さに沿って１８０°捩れる長手軸に沿って置かれる。ネックループを、中央部分と、中央部分から垂れ下がり、かつネックループの開放端を画定するように間隔を空けて離れる先端部を有する第１のレッグ部分および第２のレッグ部分と、を含み、全体として「Ｕ字」形状にすることができ、ハウジング内部壁内の捩れ部が、ネックループの中央部分内に位置する。ハウジングは、ユーザにより装着されたときに耳に最も近い上部部分と、ユーザにより装着されたときに胴体に最も近い底部部分と、を有することができ、各導波路は、ハウジングの上部部分内に一部がおよびハウジングの底部部分内に一部が置かれる。
【００１２】
別の一態様では、音響装置は、首の周りに装着されるように構成されかつ配置されるネックループであって、ネックループが第１の音放出開口部を有する第１の音響導波路および第２の音放出開口部を有する第２の音響導波路を含むハウジングを備え、第１の導波路および第２の導波路は、ハウジングの外壁およびハウジングの内部壁により両者とも画定され、ハウジングの内部壁は、長手軸の長さに沿って１８０°捩れる長手軸に沿って置かれ、ネックループは、中央部分と、ならびに中央部分から垂れ下がり、かつネックループの開放端を画定するように間隔を空けて離れる先端部を有する第１のレッグ部分および第２のレッグ部分と、を含み、全体として「Ｕ字」形状であり、ハウジング内部壁内の捩れ部は、ネックループの中央部分内に位置し、ハウジングは、ユーザにより装着されたときに耳に最も近い上部部分と、ユーザにより装着されたときに胴体に最も近い底部部分と、を有し、各導波路は、ハウジングの上部部分内に一部がおよびハウジングの底部部分内に一部が置かれる、ネックループを含む。第１の導波路に音響的に結合された第１の背面開放型音響ドライバがあり、第１の背面開放型音響ドライバは、ネックループの第１のレッグ部分内に位置し、かつユーザの一方の耳の予想される位置のところに全体として向けられる第１の音軸を有する。第２の導波路に音響的に結合された第２の背面開放型音響ドライバがあり、第２の背面開放型音響ドライバは、ネックループの第２のレッグ部分内に位置し、かつユーザの他方の耳の予想される位置のところに全体として向けられる第２の音軸を有する。第１の音響ドライバおよび第２の音響ドライバは、第１の音響ドライバおよび第２の音響ドライバが、位相が異なる音を発するように駆動される。第１の音放出開口部は、第２の音響ドライバに近接して位置し、第２の音放出開口部は、第１の音響ドライバに近接して位置する。第１の導波路は、第１の音響ドライバの下で始まり、第１の導波路がハウジングの底部部分へと曲がるネックループの第１のレッグ部分の先端部までハウジングの上部部分に沿って延伸し、第１の導波路がハウジングの上部部分へと曲がりかつ第１の音放出開口部まで第２のレッグ部分へと延伸するネックループの中央部分へと第１のレッグ部分に沿って延伸し、第２の導波路は、第２の音響ドライバの下で始まり、第２の導波路がハウジングの底部部分へと曲がるネックループの第２のレッグ部分の先端部までハウジングの上部部分に沿って延伸し、第２の導波路がハウジングの上部部分へと曲がりかつ第２の音放出開口部まで第１のレッグ部分へと延伸するネックループの中央部分へと第２のレッグ部分に沿って延伸する。
【図面の簡単な説明】
【００１３】
【図１】音響装置の上面斜視図である。
【図２】ユーザにより装着される音響装置の上面斜視図である。
【図３】音響装置の右側面図である。
【図４】音響装置の正面図である。
【図５】音響装置の背面図である。
【図６】音響装置のハウジングの内部隔壁または壁の上面斜視図である。
【図７】図１の線７−７に沿って得られた音響装置の第１の断面図である。
【図８】図１の線８−８に沿って得られた音響装置の第２の断面図である。
【図９】図１の線９−９に沿って得られた音響装置の第３の断面図である。
【図１０】音響装置用の電子部品の概略的ブロック図である。
【図１１】音響装置のドライバが同位相および異なる位相の両方で駆動される、ダミーヘッドの耳のところでの音圧レベルのプロットである。
【発明を実施するための形態】
【００１４】
音響装置は、耳と直接接触せずかつ周囲の音を遮らず耳へ高品質な音を指向する。音響装置は、目障りではなく、（衣服が十分に音響的に透明である場合には）衣服の下に、または衣服の上に装着することができる。
【００１５】
一態様では、音響装置は、首の周りに装着されるように構成されかつ配置される。音響装置は、ハウジングを含むネックループを有する。ネックループは、首の両側の胴体の上部を覆って設置される２つのレッグと、首の後方に設置される湾曲した中央部分と、を含む馬蹄状の形状を有する。装置は、ハウジングの各レッグに１つずつ２つの音響ドライバを有する。ドライバは、ドライバの音響軸が耳に向いた状態でユーザの耳の予想される位置の下方に位置する。音響装置はまた、ハウジング内に２つの導波路を有し、各導波路が耳の下方でドライバの近くに出口を有する。一方のドライバの裏側を、一方の導波路への入口に音響的に結合し、他方のドライバの裏側を、他方の導波路への入口に音響的に結合する。各導波路は、それぞれ、音を供給するドライバが一方の耳（左または右）の下方に位置する一方の端部と、他方の耳（右または左）の下方に位置する他方の端部（開放端）と、を有する。
【００１６】
音響装置の非限定的な例を図面に示す。これはしかし主題の音響装置を図示するであろう多くの可能性のある例のうちの１つである。発明の範囲は、例によっては限定されず、むしろ例によりサポートされる。
【００１７】
音響装置１０（図１〜図９）は、馬蹄形状の（または、おそらく一般的に「Ｕ字」形状の）ネックループ１２を含み、ネックループ１２は、例えば、図２に示したように、ネックループを人の首の周りに装着できるように成形され、構成されかつ配置される。ネックループ１２は、首「Ｎ」の首すじのところに設置される湾曲した中央部分２４と、それぞれ、中央部分２４から垂れ下がり、一般に鎖骨「Ｃ」の上方または近くに首の両側で胴体の上部にもたれかかるように構成されかつ配置される右レッグ２０および左レッグ２２と、を有する。図３〜図５は、音響装置１０が首および胸の上部領域に心地よくもたれかかり設置されることに役立つ全体の形を図示している。
【００１８】
ネックループ１２は、ハウジング１３を含み、ハウジングは本質的に、閉じた先端部２７および２８を有する細長い（硬いまたは柔軟な）大部分が中空の硬いプラスチック管（音の導入開口部および放出開口部を除く）である。ハウジング１３は、一体型の壁（隔壁）１０２により内部を分割される。２つの内部導波路を、ハウジングの外壁と隔壁とによって画定する。ハウジング１３は、音が導波路を通るときに実質的に劣化しないように十分に硬いべきである。右ネックループレッグ２０の端部２７と左ネックループレッグ２２の端部２８との間の横方向距離「Ｄ」が典型的な人間の首の幅よりも狭いこの非限定的な例では、装置１０を身に着けかつ取り外すときに端部２７および２８が離れ、しかも図面に示した静止形状に戻るように、ネックループはやはり十分に可撓性を有する必要がある。適切な物理的特性を有する多くの可能性のある材料のうちの１つは、ポリウレタンである。他の材料を使用できる。また、装置を他の方式でも構成できる。例えば、装置ハウジングを、例えば、留め具および／または接着剤を使用して一緒に結合される多数の別々の部分から作ることができる。そして、レッグが胸の上部にもたれかかった状態で装置が首の後ろに置かれるときにネックループレッグが離れなければならないように、ネックループレッグを配置する必要がない。
【００１９】
ハウジング１３は、右音響ドライバ１４および左音響ドライバ１６を保持する。ドライバは、ハウジング１３の上表面３０のところで、耳「Ｅ」の予想される位置の下方に位置する。図２参照。ハウジング１３は、下側表面３１を有する。（図面には示されていない）ドライバの音響軸を全体として装着者／ユーザの耳の予想される位置のところに向ける必要があるので、ドライバを示したように後ろに向かって（後方に）傾けるまたは角度を付けることができる。ドライバは、耳の予想される位置のところに向いた音響軸を有することができる。各ドライバは、最も近い耳の予想される位置から約１０ｃｍで、他方の耳の予想される位置から約２６ｃｍ（この距離を最も遠くの耳に至るまであごの下を通る柔軟なテープで測定した）であってもよい。ドライバ間の横方向距離は、約１５．５ｃｍである。この配置は、近い方の耳のところで他方の耳よりも約３倍大きいドライバからの音圧レベル（ＳＰＬ）という結果をもたらし、これがチャンネル分離を維持するために役立つ。
【００２０】
導波路放出口４０および５０が、ドライバの近くですぐ後方にハウジング１３の上部外壁３０に位置している。放出口５０は、右側ドライバ１４の後ろのところに入口を有する導波路１１０用の放出口である。放出口４０は、左側ドライバ１６の後ろのところに入口を有する導波路１６０用の放出口である。図７〜図９参照。したがって、各耳は、一方のドライバの前からの出力および他方のドライバの後ろからの出力を直接受け取る。２つのドライバが、位相が異なって駆動される場合には、各耳によって受け取られる２つの音響信号は、基本的な導波路の４分の１波長の共鳴周波数よりも下では事実上同位相であり、この共鳴周波数は、この非限定的な例では、約１３０Ｈｚ〜３６０Ｈｚである。これが、各ドライバからかつ同じ側の対応する導波路放出口からの低周波数放射が同位相でありかつ相互に打ち消さないことを確実にする。同時に、反対側のドライバからかつ対応する導波路からの放射は、位相が異なり、したがってファーフィールドキャンセル（ｆａｒ  ｆｉｅｌｄ  ｃａｎｃｅｌｌａｔｉｏｎ）を提供する。これが音響装置から近くにいる他人への音漏れを減少させる。
【００２１】
音響装置１０は、右および左のボタンソックス（ｂｕｔｔｏｎ  ｓｏｃｋｓ）または部分ハウジングカバー６０および６２を含み、ボタンソックスは、音量ボタン６８、電源ボタン７４、制御ボタン７６、およびマイクロフォンを露出させる開口部７２などの装置のユーザインターフェースの態様を規定できるまたはサポートできるスリーブである。存在するときには、マイクロフォンは、（ヘッドセットのように）通話を行うために装置を使用することを可能にする。他のボタン、スライダおよび類似の制御部を、望むように含むことができる。ユーザインターフェースを、ユーザによる操作を容易にするように、構成し設置することができる。ボタンを見ずに認識できるように、個々のボタンを固有の形状にし、設置することができる。電子部品カバーは、ボタンソックスの下方に位置する。音響装置１０の機能のために必要なハードウェアを保持するプリント回路基板および電池は、カバーの下方に位置する。
【００２２】
ハウジング１３は、２つの導波路１１０および１６０を含む。図７〜図９参照。音は、ドライバのすぐ後ろ／すぐ下の各導波路に入り、ドライバがレッグの端部に位置するネックループレッグの上部側を下って延び、レッグの端部のところで１８０°向きを変え、ハウジングの底部側まで下り、そして次いでハウジングの底部側に沿ってレッグを上へ戻って延びる。導波路は、ネックループの中央部分の第１の部分の底部側に沿って続く。導波路は、次いで、ネックループの中央部分の端部のところでまたは近くで導波路がハウジングの上部側に戻るように捩れる。導波路は、ネックループの他方のレッグの上部に位置する放出開口部のところで他方のドライバの近くで終わる。導波路は、ハウジングの外側壁と内部一体型隔壁または壁１０２との間の空間によって形成される。（ハウジングとは別に図６に示した）隔壁１０２は、右レッグ１３０、左レッグ１３８、右端部１１８、左端部１４０、および中央の１８０°捩れ部１３４を有する全体として平坦な一体型の内部ハウジング壁である。また、隔壁１０２は、ハウジング軸にほぼ平行に延びる導波路から放出開口部に至るまで音を向ける湾曲した角度付き方向転換部１３２および１３６も有し、放出開口部は、方向転換部の上方のハウジングの上部壁内にあり、その結果、音が、全体として一方の耳に向かって向けられる。
【００２３】
導波路１１０の第１の部分を図７に示す。導波路入口１１４は、右耳の予想される位置の方を向いている表側１４ｂを有する音響ドライバ１４の裏面１４ａの直後に位置する。導波路１１０の下向レッグ１１６は、ハウジングの隔壁１０２の上方で上部壁／上面３０の下方に位置する。折り返し部１２０が、隔壁１０２の端部１１８とハウジング１２の閉じた丸みを帯びた端部２７との間に画定される。導波路１１０は、次いで隔壁１０２の下方で導波路１１０の上向部分１２２に続く。導波路１１０は、次いで隔壁１０２の一部である方向転換部１３２（導波路部分１２４参照）の下に延び、そこでは導波路が中央ハウジング部分２４へと延びるように曲がる。図８および図９は、２つの同じ導波路１１０および１６０が、ハウジングの中央部分に沿ってどのようにして延びてハウジングの中央部分内で折り重なり相互にひっくり返るか、その結果、各導波路がハウジングの上部部分内でどのようにして始まり、終わるかを図示する。これは、各導波路がネックループの一方のレッグ内で一方のドライバの後ろに結合され、他方のドライバの近くで他方のレッグ内のハウジングの上部に導波路の放出口を有することを可能にする。また、図８および図９は、隔壁１０２の第２の端部１４０と、ドライバ１６の後ろで始まり、導波路がレッグ２２の底部へ曲がり、中央部分２４へとレッグ２２を上って延びる、レッグ２２の上部まで下って延びる導波路１６０の配置と、も示している。導波路１１０および１６０は、基本的に相互に鏡像である。
【００２４】
１つの非限定的な例では、各導波路は、一般に環状の放出開口部を含め導波路の全長さに沿って、約２ｃｍ２の全体として同じ断面積を有する。１つの非限定的な例では、各導波路は、約２２ｃｍ〜４４ｃｍの範囲内の、１つの特定の例では４３ｃｍに極めて近い総合的な長さを有する。１つの非限定的な例では、導波路は、約１５０Ｈｚのところで共鳴を起こすように十分に長い。より一般的に、音響装置の主要寸法（例えば、導波路長さおよび断面積）は、人間工学により主として規定され、一方で適正な音響応答および機能を、適正なオーディオ信号処理により確実にする。他の導波路配置、形状、サイズ、および長さが、本開示の範囲内であると想定される。
【００２５】
音響装置用の電子部品の例示的であるが非限定的な例を図１０に示す。この例では、装置は、スマートフォンまたは別の音源にワイヤレスでつなげることができるワイヤレスヘッドセットとして機能する。ＰＣＢ１０３は、マイクロフォン１６４およびマイク処理部を保持する。アンテナは、別の装置からオーディオ信号（例えば、音楽）を受信する。Ｂｌｕｅｔｏｏｔｈ（登録商標）無線通信プロトコル（および／または他の無線プロトコル）をサポートする。ユーザインターフェースを、ＰＣＢ１０３およびＰＣＢ１０４の両者の一部として保持することができるが、必ずしも必要ではない。システムオンチップは、増幅されそしてＰＣＢ１０４上のＬオーディオ増幅器およびＲオーディオ増幅器に与えられるオーディオ信号を発生する。増幅した信号を、上に説明したように背面開放型音響ドライバである左トランスデューサ（ドライバ）１６および右トランスデューサ（ドライバ）１４へ送る。音響ドライバは、４０ｍｍの直径および１０ｍｍの深さを有することができるが、必ずしもこれらの寸法を有する必要はない。また、ＰＣＢ１０４は、音響装置に関するすべての電力を供給する再充電可能バッテリ１０６と相互作用するバッテリ充電回路を保持する。
【００２６】
図１１は、上に説明した音響装置を用いた一方の耳のところのＳＰＬを図示する。プロット１９６は、位相が異なって駆動されたドライバを用いたものであり、プロット１９８は同位相で駆動されたドライバを用いたものである。約１５０Ｈｚよりも下では、異なる位相のＳＰＬは、同位相の駆動の場合よりも高い。位相が異なる駆動の利点は、６０Ｈｚ〜７０Ｈｚの最低周波数において１５ｄＢまでである。同じ効果が、約４００Ｈｚから約９５０Ｈｚまでの周波数範囲内で生じる。１５０Ｈｚ〜４００Ｈｚの周波数範囲内では、同位相のＳＰＬは、異なる位相のＳＰＬよりも高く、この周波数範囲内で最高のドライバ性能を得るために、左チャンネルと右チャンネルとの間の位相差を、ひっくり返してゼロにすべきである。１つの非限定的な例では、チャンネル間の位相差は、限定された位相変化スロープを有するいわゆるオールパスフィルタを使用して実現される。これらは、音再生に有害な効果を有することがある急峻な位相変化よりもむしろゆっくりとした位相変化を与える。これが、音響装置のパワー効率を保証しながら適正な位相選択の利点をもたらす。１ＫＨｚよりも上では、左チャンネルと右チャンネルとの間の位相差は、より高い周波数のところではチャンネル間の相関の欠如のために、ＳＰＬへの影響が、はるかに小さい。
【００２７】
上に説明したシステムおよび方法の実施形態は、当業者には明らかであろうコンピュータ部品およびコンピュータに実装されるステップを含む。例えば、コンピュータに実装されるステップを、例えば、フロッピディスク、ハードディスク、光ディスク、フラッシュＲＯＭ、不揮発性ＲＯＭ、およびＲＡＭなどのコンピュータ可読媒体上にコンピュータ実行可能な命令として記憶できることを当業者なら理解するはずである。さらにその上、コンピュータ実行可能な命令を、例えば、マイクロプロセッサ、ディジタル信号プロセッサ、ゲートアレイ、等などの様々なプロセッサ上で実行できることを当業者なら理解するはずである。解説を容易にするために、上に説明したシステムおよび方法のステップまたは要素は、すべてではないが、本明細書においてはコンピュータシステムの一部として説明するが、各ステップまたは要素が、対応するコンピュータシステムまたはソフトウェア構成要素を有することがあることを、当業者なら認識するであろう。したがって、このようなコンピュータシステムおよび／またはソフトウェア構成要素は、これらの対応するステップまたは要素（すなわち、これらの機能）を説明することによって可能にされ、開示の範囲内である。
【００２８】
多くの実装形態を説明した。それにも拘らず、追加の修正を、本明細書において説明した発明の概念の範囲から逸脱せずに行うことができ、したがって、他の実施形態が以下の特許請求の範囲の範囲内であることが、理解されるであろう。
【符号の説明】
【００２９】
１０  音響装置
１２  ネックループ
１２  ハウジング
１３  ハウジング
１４  音響ドライバ
１４ａ  裏面
１４ｂ  表側
１６  音響ドライバ
２０  レッグ
２２  レッグ
２４  中央部分
２７  閉じた丸みを帯びた端部
２８  端部
３０  外壁
３１  下側表面
４０  放出口
５０  放出口
６０  ハウジングカバー
６２  ハウジングカバー
６８  音量ボタン
７２  開口部
７４  電源ボタン
７６  制御ボタン
１０２  隔壁
１０３  ＰＣＢ
１０４  ＰＣＢ
１０６  再充電可能バッテリ
１１０  導波路
１１４  導波路入口
１１６  下向レッグ
１１８  端部
１２０  折り返し部
１２２  上向部分
１２４  導波路部分
１３０  右レッグ
１３２  方向転換部
１３４  捩れ部
１３６  方向転換部
１３８  左レッグ
１４０  左端部
１６０  導波路
１６４  マイクロフォン
１９６  プロット
１９８  プロット
Ｃ  鎖骨
Ｄ  横方向距離
Ｅ  耳
【図１】
0006431973.tif 000002
【図２】
0006431973.tif 000003
【図３】
0006431973.tif 000004
【図４】
0006431973.tif 000005
【図５】
0006431973.tif 000006
【図６】
0006431973.tif 000007
【図７】
0006431973.tif 000008
【図８】
0006431973.tif 000009
【図９】
0006431973.tif 000010
【図１０】
0006431973.tif 000011
【図１１】
0006431973.tif 000012